(57)【要約】      （修正有）【課題】アプリケータ・アセンブリによりコンドームのサイズが著しく増大せず、暗闇の中で触れることによりアプリケータを確実にかつ容易に動作させることができ、使用者の手の単一動作で陰茎全面に速やかにコンドームを巻き戻せることができ、製造に費用がかからない、一体型アプリケータ・アセンブリを含むコンドームを提供する。【解決手段】第１の側壁端部および第２の側壁端部を有するコンドーム管状側壁１４が、第２の側壁端部から第１の側壁端部に向かって外側にかつそれ自体の上に巻かれて側壁ロールを形成するコンドーム管状側壁と、第１の側壁端部で管状側壁１４に密封状態で接合するコンドーム末端壁と、把持用タブ端部セグメント３４を有する軟質材料の細片３２であって、細片３２の把持用タブ端部セグメント３４および触知可能な表面が側壁ロールから突出するように、側壁ロール内に巻き込まれている少なくとも１つの細片とを含む構成とする。【選択図】図５
2007196002.tif 000002
【特許請求の範囲】
【請求項１】
第１の側壁端部１６および第２の側壁端部２２を有するコンドーム管状側壁１４であり、前記管状側壁１４が、前記第２の側壁端部２２から前記第１の側壁端部１６に向かって外向きにかつ前記管状側壁１４の上に巻かれて側壁ロールを形成するコンドーム管状側壁１４と、
前記第１の側壁端部１６で、前記管状側壁１４に密封状態で接合するコンドーム末端壁１６と、並びに
把持用タブ端部セグメント３４を有する軟質材料の少なくとも１つの細片３２であり、前記少なくとも１つの細片３２の前記把持用タブ端部セグメント３４が、前記側壁ロールから突出するように、前記側壁ロール内に巻き込まれた少なくとも１つの細片３２と、からなるコンドーム１０において、
前記把持用タブ端部セグメント３４の片側に触知可能な表面３６を露出することを特徴とするコンドーム１０。
【請求項２】
前記側壁ロールＲ内に巻き込まれた軟質材料の少なくとも２つの前記細片３２を含み、前記２つの細片３２が、前記管状側壁１４の横方向に対向する部分に位置するものであることを特徴とする請求項１に記載のコンドーム１０。
【請求項３】
前記コンドーム１０がラテックス材料で形成され、前記少なくとも１つの細片３２が前記ラテックス材料で形成されることを特徴とする請求項１に記載のコンドーム１０。
【請求項４】
前記少なくとも１つの細片３２が、少なくとも前記第２の側壁端部２２から前記第１の側壁端部１６まで延びるのに十分な長さであることを特徴とする請求項１に記載のコンドーム１０。
【請求項５】
コンドーム１０が、第１の側壁端部１６および第２の側壁端部２２を有するコンドーム管状側壁１４と、前記第１の側壁端部１６で前記管状側壁１４に密封状態で接合するコンドーム末端壁１６とを含むものであり、コンドーム・アプリケータ・アセンブリ３０が把持用タブ端部セグメント３４を有する軟質材料の少なくとも１つの細片３２を含むものであるときに、
前記少なくとも１つの細片３２を、前記管状側壁１４と一緒に前記第１の側壁端部１６に向かって外側にかつ前記管状側壁１４の上に巻き揚げて側壁ロールを形成し、それにより前記把持用タブ端部セグメント３４を前記側壁ロールから突出させるステップを含むコンドーム・アプリケータ・アセンブリ３０を含むコンドーム１０の組立て方法において、
前記把持用タブ端部セグメント３４の片側に触知可能な表面３６を露出することを特徴とする方法。
【発明の詳細な説明】
【技術分野】
【０００１】
本発明は一般に、産児制限および性交感染症予防用具の分野に関する。より詳細には本発明は、一体型コンドーム・アプリケータ・アセンブリを有するコンドームに関する。
【背景技術】
【０００２】
昔から様々なタイプのコンドームおよびコンドーム・パッケージが存在した。
コンドームには潤滑性および非潤滑性の種類が含まれ、ラテックスなどの様々な材料で形成されていた。コンドーム・パッケージには、密封状の包み、包装材料、および平らな金属製容器が含まれていた。これらの従来のコンドームおよびコンドーム・パッケージに関する問題とは、使用者がコンドームを装着するときにその補助をせず、また使用者がコンドームをどの方向に向けるか見ることができないために暗闇での使用が困難であるということである。
【発明の開示】
【発明が解決しようとする課題】
【０００３】
したがって本発明の一目的は、一体型アプリケータ・アセンブリを含むコンドームを提供することである。
【０００４】
本発明の別の目的は、そのアプリケータ・アセンブリによってコンドームのサイズが著しく増大しないようなコンドームを提供することである。
【０００５】
本発明のさらに別の目的は、暗闇の中で触れることによってアプリケータを確実にかつ容易に動作させることができるように、コンドームを方向づける手段を提供することである。
【０００６】
本発明のさらに別の目的は、このアプリケータ・アセンブリによって、使用者の手の単一動作で陰茎全面に速やかにコンドームを巻き戻すようなコンドームを提供することである。
【０００７】
本発明の最終の目的は、アプリケータ・アセンブリの製造に費用がかからないコンドームを提供することである。
【課題を解決するための手段】
【０００８】
本発明は、上述の目的と、明細書全体の公正な読取りおよび解釈によって決定することが可能なその他の目的を達成する。
【０００９】
第１の側壁端部および第２の側壁端部を有するコンドーム管状側壁であって、その第２の側壁端部から第１の側壁端部に向かって外向きに、かつそれ自身の上に巻かれて側壁ロールを形成するコンドーム管状側壁と、第１の側壁端部で管状側壁に密封状態で接合するコンドーム末端壁と、片側に触知可能な表面を持つ把持用タブ端部セグメントを有する軟質材料の少なくとも１つの細片であって、その把持用タブ端部セグメントを容易に把持することができ、かつ触知可能な表面を認識できるように、少なくとも１つの細片の把持用タブ端部セグメントを側壁ロールから突出させて側壁ロール内に巻き込まれている軟質材料の少なくとも１つの細片とを含むコンドームが提供される。
コンドームは、側壁ロール内に巻き込まれた軟質材料の少なくとも２つの細片を含み、この２つの細片は、管状側壁の横方向で、対向する部分に位置することが好ましい。コンドームは、ラテックス・コンドーム材料で形成されることが好ましく、また少なくとも１つの細片は、ラテックス・コンドーム材料で形成されることが好ましい。この少なくとも１つの細片は、少なくとも側壁第２端部から側壁第１端部に延びるのに十分な長さであることが好ましい。触知可能な表面は、少なくともその把持用タブ端部セグメント上に設けられることが好ましい。
前述の少なくとも１つの細片を、管状側壁とともに外側にかつ管状側壁上で側壁第１端部に向かって巻いて側壁ロールを形成する段階を含み、したがって把持用タブ端部セグメントおよび任意選択の触知可能な表面が側壁ロールから突出するコンドームを組み立てる方法が提供される。
コンドームを陰茎に装着する方法であって、タブ端部セグメントを把持する段階と、その触知可能な表面を感じる段階と、コンドームを適正な方向に向ける段階と、コンドーム末端壁を陰茎の遠位端に置き、これによって管状側壁ロールが使用者から離れた方向に向けられる段階と、タブ端部セグメントを管状側壁から横方向に外側へと引き、これによって側壁ロールが陰茎の全面に巻き戻されかつ陰茎に沿って長手方向に送られる段階とを含む方法が提供される。この方法に、少なくとも１つの細片を持ち上げて管状側壁から取り外す別のステップも含むことが好ましい。
【発明を実施するための最良の形態】
【００１０】
コンドーム自体は、コンドーム管状側壁と、末端壁を持つ閉端部と、側壁リムを持つ開端部とを有する一般に従来型のデザインである。コンドームは、側壁リムから末端壁に向かって外向きにかつそれ自体の上に巻き揚げられて側壁ロールを形成する管状側壁を備える。
本発明のコンドーム・アプリケータ・アセンブリは軟質材料の２つの細片で形成され、管状側壁と一緒に側壁ロールに巻き込まれて、その結果、タブ端部のセグメントがロールから突出する。端部タブ・セグメントは、暗闇の中でも使用者が側壁ロールを適正な方向に向けることができるように、その片側に触知可能な表面を備えることが好ましい。これらの細片を側壁ロールに巻き込むコンドーム・アセンブリの一方法を提供する。
コンドームを使用するために、使用者はコンドーム末端壁を陰茎の遠位端に接触させて置く。それにより側壁ロールは使用者から離れた方向に向けられる。これは、使用者が２つのタブ端部セグメントを把持するときに、任意選択の触知可能な表面に対する使用者の触覚によって暗闇の中で行われる。次いで使用者は、２つのタブ端部セグメントを陰茎の側面から横方向に外側へと引く。この単一動作によって、側壁ロールは陰茎の周囲にかつ陰茎に沿って長手方向に速やかに巻き戻される。
【００１１】
必要に応じて本発明の詳細な実施形態を本明細書に開示するが、開示された実施形態は、様々な形に具体化することが可能な本発明の単なる例示であることが理解されるべきである。したがって、本明細書に開示される特定の構造的および機能的な詳細は限定するものと解釈されるべきではないが、単に請求の範囲の基礎として、かつ本発明を実際に任意の適宜詳細な構造で様々に使用することを当業者に教示するための代表的な基礎として解釈されるべきである。
【００１２】
次に図面には参照を付し、様々な図に示す本発明の同じ特徴と形状は同じ参照数字により示す。
【００１３】
第１の好ましい実施形態
第１図から第５図を参照すると、コンドーム本体２０および一体型コンドーム・アプリケータ・アセンブリ３０を含むコンドーム１０が開示されている。コンドーム本体２０自体は従来型のコンドームのデザインであり、コンドーム管状側壁１４と、コンドーム末端壁１６を持つ閉じた第１側壁端部と、コンドーム管状側壁リム２２を持つ開いた第２側壁端部とを有する。コンドーム１０は従来の製品形態で、すなわち管状側壁１４が側壁リム２２から末端壁１６に向かって外側にかつそれ自体の上に巻き揚げられ、側壁ロールＲが形成された状態で消費者に提供される。
【００１４】
本発明のコンドーム・アプリケータ・アセンブリ３０は、軟質材料である少なくとも１つの、好ましくは２つの細片３２を含む。この材料はコンドーム材料が好ましい。細片３２は主たるコンドーム本体２０から分離しており、細片３２の把持用タブ端部セグメント３４が側壁ロールＲから突出するように、巻かれた管状側壁１４と一緒に長手方向に巻き揚げられている。第１図から第３図を参照されたい。把持用タブ端部セグメント３４は、片側に触知可能な表面３６を有している。第５図を参照されたい。
【００１５】
方法
本発明の実施に際し、以下の方法を用いることが可能である。細片３２が少なくとも側壁リム２２から実質上コンドーム末端壁１６まで延びるのに十分な長さとなるように、軟質材料のシートから切り取られるコンドーム１０の製造方法が提供される。第２図を参照されたい。細片３２は、従来のコンドームの手法により側壁１４を外側にかつそれ自体の上に巻くにつれて、細片３２の触知可能な表面３６を有する把持用タブ端部セグメント３４が自在な状態でかつ側壁ロールＲから突出したままの範囲内で、側壁１４と一緒に巻き揚げられる。第３図から第５図を参照されたい。次いでコンドーム１０は、従来の密封式コンドーム１０容器（図示せず）内に包装することが好ましい。
【００１６】
コンドーム１０を使用するために、使用者は、最も近い手の親指と人差し指の間に各タブ端部セグメント３４を挟み、触知可能な表面３６に触れてコンドームを適正な方向に向ける。これは、コンドームが適正に方向づけされないと誤った方向に巻き戻されるからである。必要ならばコンドームの向きを変える。第５図を参照されたい。次いで使用者は、コンドーム末端壁１６を従来の方法で陰茎Ｐの遠位端に接触させて置き、このため管状側壁ロールＲは使用者から離れた方向に向く。次いで使用者は、最も近い手の親指と人差し指の間に各タブ端部セグメント３４を把持し、タブ端部セグメント３４を陰茎Ｐの側面から放射状に、外側へと引く。第４図を参照されたい。この単一動作によって、巻かれた側壁１４は素早く巻き戻され、陰茎Ｐの全面を長手方向に進む。管状側壁１４が完全に巻き戻されると必然的に細片３２も同様に巻き戻されてコンドーム本体２０から解放され、したがって細片３２は使用者によってコンドーム本体２０から取り外される。細片３２は後で拾い、使用済みのコンドーム本体２０と一緒に処分する。
【００１７】
本発明を、様々な用語で、またはある実施形態で、または実際に仮定される変形例により説明し、開示し、例示し、かつ図示してきたが、本発明の範囲はそれによって限定することを意図するものでも考えるべきでものでもなく、本明細書の教示によって提案することが可能なその他の変形例または実施形態は、とりわけ本明細書に添付する請求の範囲の広がりおよび範囲内にあるものとして特に確保される。
【図面の簡単な説明】
【００１８】
【図１】使用者に提供されるときに巻かれた形状にあるコンドームおよびコンドーム・アプリケータ・アセンブリの斜視図である。
【図２】管状側壁を巻き揚げる前の全体に延びたコンドーム本体と、第１図に示すように側壁と一緒に巻き揚げられて側壁ロールになる２つの細片の側面図である。
【図３】コンドーム本体および一部組み立てられた細片の横断側面図であり、管状側壁が一部巻き揚げられて側壁ロールになり、第２図に示す２つの細片が一緒に巻き揚げられて管状側壁に巻き込まれている図である。
【図４】使用者の手が陰茎の側面から放射状に外側に進むにつれてロールが一部伸ばされたことを実線で示す以外は、第３図と同様の横断側面図である。完全に巻き戻された管状側壁は、解放され分離した細片とともに破線で示す。
【図５】タブ端部セグメント上の触知可能な表面を示す底面図である。
【図１】
2007196002.tif 000003
【図２】
2007196002.tif 000004
【図３】
2007196002.tif 000005
【図４】
2007196002.tif 000006
【図５】
2007196002.tif 000007